(57)【要約】【課題】  階段タイルの現場施工方法において、踏面の滑り止めタイルを精度良く、かつ効率的に施工する。【解決手段】  コンクリート階段１の踏面２にタイルを敷き詰める際に、コンクリート階段１の階段幅に等しい長さの網状体１２の長辺に沿って滑り止めタイル１１を一列に貼着したタイルユニット１０を製作する。このタイルユニット１０を、各踏面２の出隅縁に沿って硬化後あるいは打設直後のコンクリート面に接着し、網状体１２上の滑り止めタイル１１をガイドとして踏面２に平タイルを施工する。これにより、滑り止めタイルを精度良く、かつ効率的に施工でき、さらに滑り止めタイルをガイドとして全体のタイルを精度良く、迅速に施工できる。【選択図】  図１
2005036549.tif 000002
【特許請求の範囲】
【請求項１】
コンクリート階段の踏面にタイルを敷き詰める階段タイルの施工方法において、前記コンクリート階段の階段幅に等しい長さの網状体の長辺に沿って滑り止めタイルを一列に貼着したタイルユニットを、各踏面の出隅縁に沿って硬化後あるいは打設直後のコンクリート面に接着し、前記網状体上の滑り止めタイルをガイドとして前記踏面に平タイルを施工することを特徴とする階段タイルの施工方法。
【請求項２】
前記網状体は、階段幅に等しい長辺を有する長方形状をなすエキスパンドメタルであることを特徴とする請求項１に記載の階段タイルの施工方法。
【発明の詳細な説明】
【技術分野】
【０００１】
本発明は階段タイルの施工方法に係り、現場施工で施工され、踏面をタイル貼りする際の滑り止めタイルの取り付けにおいて、滑り止めタイルを精度良く、かつ効率的に施工することで、全体のタイルの施工を迅速に、精度良く施工できるようにした滑り止めタイル階段タイルの施工方法に関する。
【背景技術】
【０００２】
従来、階段の各部の仕上げのうち、踏面は利用者が実際に踏みつける箇所であり、通常の歩き心地、耐衝撃性等に加え、すべり防止等の安全面に留意した仕上げを行う必要がある。加えて屋外階段においては、耐水性を考慮して、踏面、け上げ部分に使用する仕上げ材料を決定している。たとえば屋外階段等において、これら要求仕様を満たす仕上げ材料として石材、磁器質タイル、モルタル仕上げがあるが、多く普及しているのが磁器質タイル貼り階段である。
【０００３】
タイルの形状は、その施工箇所に応じて種々生産されているが、階段で使用されるものには踏面、け上げ用の平タイル、踏面の出隅縁に施工される滑り止めタイル等がある。これらのタイルはたとえば現場打ちコンクリート階段躯体が所定強度に達した後に、コンクリート躯体に張り付けモルタル等の接着材料を用いて割り付けに応じて貼着される。その際、所定形状の踏面等の床部分には合致した寸法のタイルユニットを用いることで、施工の迅速化が図られている。
【０００４】
一般に知られているタイルユニットは、モザイクタイル等の小型のタイルを対象としており、多数のタイルが所定ピッチで台紙にのり付けされたタイルユニットを躯体に貼っていく。これに対して、大型タイルを用いることができ、かつ運搬が容易なタイルユニットとして、金網を台紙の代え、この金網にタイルをあらかじめ貼着しておき、タイルが貼着された金網をコンクリート躯体等に接着していくようにしたタイルユニットが提案されている（特許文献１参照）。
【０００５】
【特許文献１】特開平１１−９３３７６公報。
【発明の開示】
【発明が解決しようとする課題】
【０００６】
ところで、階段位置で型枠を組み立て、現場コンクリートによって階段構造を構築する場合、上述したように所定強が得られたコンクリート躯体表面に磁器質タイルを順次貼り付けていくか、あるいは踏面の寸法に合わせたタイルユニットを用いて貼り付けていく方法がとられている。このため、十分な強度が得られない所定の養生期間中はタイルを施工することができない。また、踏面の出隅に貼り付ける滑り止めタイルは、タイルの施工時の位置出しの基準になるとともに、表面に筋状の滑り止め用凹凸模様等が形成されているため、並べた状態でタイル間で筋が通るように、精度よく施工することも必要である。さらに滑り止め用タイルは、供用時に踏力がもっとも加わる箇所であるため、確実に接着する必要がある。
【０００７】
しかしながら、従来のタイルユニットでは確実に接着させたい滑り止めタイルも、踏面に敷設する他の平タイルと同様に施工するしか方法がなかった。そして、コンクリートに貼り付けた際にモルタル等の接着剤強度が十分得られないうちに、滑り止めタイルに力がかかると、け上げ側から剥離したり、ずれたりしやすいという問題もある。また、上述したような金網に滑り止めタイルを先付けし、出隅位置に配置する方法もあるが、この特許文献１に開示されたタイルユニットは、縦横に所定の間隔をあけてタイルを金網面に貼着していくものであり、線径の小さい亀甲金網（六角形メッシュ）等を用いてモルタル等のセメント系接着剤を用いて下地面に貼り付けているため、階段の踏面等に施工した場合、作業中等の養生初期段階に並べられたタイルに力が加わるとメッシュの剛性が小さく、力が加わった部分が凹むように変形してしまい、並べられたタイル面に不陸が生じてしまうおそれがある。これらの問題は、コンクリート躯体が硬化した後にタイルを施工する場合にも生じる。このため、コンクリート打設直後や硬化後において、タイル施工を精度よくかつ迅速に行いたい。
【０００８】
そこで、本発明の目的は上述した従来の技術が有する問題点を解消し、階段の踏面、滑り止めタイルを施工する際に、タイルを精度良く、迅速に安定した状態で施工することできるようにした階段タイルの施工方法を提供することにある。
【課題を解決するための手段】
【０００９】
上記目的を達成するために、本発明はコンクリート階段の踏面にタイルを敷き詰める階段タイルの施工方法において、前記コンクリート階段の階段幅に等しい長さに滑り止めタイルを一列に貼着した網状体を、各踏面の出隅辺に沿って硬化後あるいは打設直後のコンクリート面に接着し、その後、該網状体上の滑り止めタイルをガイドとして前記踏面に平タイルを施工することを特徴とする。
【００１０】
前記網状体は、階段幅に等しい長辺を有する長方形状をなす金網、特にエキスパンドメタルを用いることが好ましい。
【発明の効果】
【００１１】
上述したように、階段のタイル仕上げにおいて、滑り止めタイル付きの網状体からなるタイルユニットを、コンクリート打設面上に接着することにより、階段の踏面のタイル施工を、精度良くかつ迅速に行えるという効果を奏する。
【発明を実施するための最良の形態】
【００１２】
以下、本発明の階段タイルの施工方法の一実施の形態について、添付図面を参照して説明する。
図１は、現場コンクリートが打設された直後の各階段１の踏面２の出隅縁３位置に滑り止めタイル１１を貼着したタイルユニット１０を貼り付けている状態を示した部分斜視図である。本発明に用いるタイルユニット１０は、図２各図に表裏面を示したように、階段１の幅と等しい長辺と、滑り止めタイル１１の幅の約２倍の短辺とからなる長方形状をなした網状体としてのエキスパンドメタル１２の長辺縁１２ａに沿って、滑り止めタイル１１を、一列に貼着したものである。本実施の形態で用いられているエキスパンドメタル１２は、公知の鋼板加工により得られる網状板材で、所定目開き寸法が得られるように鋼板に入れられた切れ目部分を引き伸ばし、菱形開口が縦横に連続して広がる金網状体である。また、本実施の形態では、滑り止めタイル１１として公知の磁器質タイルが使用されている。この滑り止めタイル１１は、表面の長手方向に沿って数本の溝１３が形成されており、この溝は、複数枚の滑り止めタイル１１が横に並べられ施工された際に階段幅にわたる滑り止め溝１４となる。また、図２（ｂ）に示したように、各滑り止めタイル１１は、ウレタン樹脂系接着剤１５によって、エキスパンドメタル１２に接着されている。本実施の形態で用いられているペースト状のウレタン樹脂系接着剤１５は低粘性で、接着時にタイル１１および網状体の網目に十分密着でき、比較的短時間でタイルと金網との接着強度が実用強度に達する。使用接着剤に関しては、エポキシ樹脂系、アクリル樹脂系接着剤等を使用することもできることはいうまでもない。
【００１３】
なお、タイルユニット１０の取付時期は、コンクリート硬化後が一般的であるが、コンクリート打設直後でも良く、さらに、あらかじめ脚付き網状体を利用して、鉄筋の一部に支持させておくことにより、コンクリート打設前に設置することも可能である。
【００１４】
このエキスパンドメタル１２に滑り止めタイル１１を一列に接着したタイルユニット１０を、比較的低強度のコンクリート踏面２の出隅縁３位置（図１参照）に順次貼り付けていく。まずコンクリート表面に接着剤としてのモルタルベース１６を薄層に塗りつけ、このモルタルベース１６上に、滑り止めタイル１１付きのエキスパンドメタル１２を十分な押圧力で貼り付けていく。引き続き、図３に示したように、踏面２に滑り止めタイル１１と等しい平面寸法の平タイル１７を貼り付ける。このとき、滑り止めタイル１１に隣接する平タイル１７は網状体上に貼り付けられるが、それ以外の平タイル１７，…を貼り付ける際も、モルタルベース１６の厚みを調整して踏面２全体のタイル面が平滑に仕上がるようにする。なお、け上げ１８表面には同種の磁器質タイル、あるいは人造石パネル、耐水性樹脂タイル等を貼着することが好ましい。
【００１５】
図４各図は、網状体（エキスパンドメタル）１２の変形例を示した平面図である。図２に示した長方形の網状体によっても、滑り止めタイル１１を、踏面２の縁位置３に確実に取り付けることができるが、踏面２の平タイルの施工性、あるいは取り付け精度を高めるために網状体の変形例について説明する。図４（ａ）は、網状体の一部を踏面の奥行き長さ（踏み幅）に延長部１２ｂを有する変形例を示している。この変形例によれば、滑り止めタイル１１付きのエキスパンドメタル１２の施工直後に、メッシュをガイドとして平タイルを精度良く施工することができ、施工の迅速化を図ることができる。図４（ｂ）〜（ｄ）は、網状体の材質として溶接金網２２を用いた変形例を示している。溶接金網はエキスパンドメタル１２に比べ同じ線径の材料を用いた場合、軽量で比較的剛性が小さいため、施工時の取り扱いが容易となるが、コンクリート上に敷設した後にも十分な剛性を必要とする場合には、図４（ｃ），（ｄ）に示したように、加工鉄筋をメッシュに溶接して補剛することが好ましい。図４（ｃ）には鋸歯状に加工した折り曲げ鉄筋２３で網状体を補強した変形例が、図４（ｄ）には略□形状のループ筋２４の長辺をタイルの接着部に固定した変形例が示されている。
【００１６】
なお、エキスパンドメタル１２に代えて使用可能な金網状体としては、溶接金網の他、各種メタルラス（ＪＩＳ Ａ ５５０５）、亀甲金網、パンチングメタル等、種々の鋼板加工品、金網相当品、あるいは同等剛性、耐アルカリ性を有する樹脂網状製品も使用できる。
【００１７】
なお、本発明に使用した、網状体に滑り止めタイル１１を貼着したタイルユニット１０は、プレキャストコンクリート階段の施工において、先付けタイルとしてあらかじめ型枠のせき板に沿った所定位置に存置しておいて、コンクリート打設し、できあがったプレキャストコンクリート製品の一部に埋設させるようにして取り付けることも可能である。その場合、平タイルの貼り付け位置は、プレキャストコンクリート養生条件に耐えうる材料によってあらかじめ箱抜きしておくことが好ましい。
【図面の簡単な説明】
【００１８】
【図１】本発明による階段タイルの施工方法の一実施の形態による施工状態を示した説明図。
【図２】階段タイルの施工方法に用いた網状体の一例を示した平面図、裏面図。
【図３】図１に示した階段のタイル施工完了状態を示した状態説明図。
【図４】網状体の数種の変形例を示した平面図、裏面図。
【符号の説明】
【００１９】
１  階段
２  踏面
１０  タイルユニット
１１  滑り止めタイル
１２  エキスパンドメタル（網状体）
１６  モルタルベース
【図１】
2005036549.tif 000003
【図２】
2005036549.tif 000004
【図３】
2005036549.tif 000005
【図４】
2005036549.tif 000006